(57)【要約】      （修正有）【課題】コンベヤーベルトの案内機能を確保しつつ、メンテナンス作業や交換作業を容易に行なえるコンベヤーベルトの案内装置を提供する。【解決手段】搬送経路を形成する架台６のコンベヤーベルト２の両側に位置する部位に着脱可能に装着される一対のステー１２ａ、１２ｂと、これらのステー１２ａ、１２ｂ間に回動自在に装着されて、コンベヤーベルト２の送り側を案内する送り側ローラー１３と、コンベヤーベルト２の戻り側を案内する戻り側ローラー１４を備え、送り側ローラー１３および戻り側ローラー１４が、一対のステー１２ａ、１２ｂ間に、コンベヤーベルト２の搬送面と略直交する方向に間隔おいて装着されている。【選択図】図３
0003217893.tif 000002
【実用新案登録請求の範囲】
【請求項１】
搬送経路に沿って配設される架台に走行可能に装着された無担帯状のコンベヤーベルトを、その送り側および戻り側においてそれぞれ案内するようにしたコンベヤーベルトの案内装置であって、前記架台の前記コンベヤーベルトの両側に位置する部位に着脱可能に装着される一対のステーと、これらのステー間に回動自在に装着されて、前記コンベヤーベルトの送り側を案内する送り側ローラーと、前記コンベヤーベルトの戻り側を案内する戻り側ローラーを備え、前記送り側ローラーおよび前記戻り側ローラーが、前記一対のステー間に、前記コンベヤーベルトの搬送面と略直交する方向に間隔おいて装着されていることを特徴とするコンベヤーベルトの案内装置。
【請求項２】
前記ステーが前記架台の上面に立設されていることを特徴とする請求項１に記載のコンベヤーベルトの案内装置。
【請求項３】
前記ステーが前記架台の下面に垂設されていることを特徴とする請求項１に記載のコンベヤーベルトの案内装置。
【請求項４】
前記送り側ローラーと前記戻り側ローラーの少なくとも一方が、前記コンベヤーベルトの中央部を平面状に案内する第１ローラーと、この第１ローラーを挟み込むように配置され、前記コンベヤーベルトの両側部を、前記中央部に対して傾斜させた状態で案内する一対の第２ローラーとによって構成されていることを特徴とする請求項１ないし請求項３の何れかに記載のコンベヤーベルトの案内装置。
【請求項５】
前記戻り側ローラーが、前記コンベヤーベルトの戻り側の下面に接触して案内するようになされていることを特徴とする請求項１ないし請求項４の何れかに記載のコンベヤーベルトの案内装置。
【請求項６】
前記戻り側ローラーが、前記コンベヤーベルトの戻り側の上面に接触して案内するようになされていることを特徴とする請求項１ないし請求項４の何れかに記載のコンベヤーベルトの案内装置。
【請求項７】
前記請求項１ないし請求項６の何れかに記載のコンベヤーベルトの案内装置が、前記架台の長さ方向に沿って間隔をおいて複数装着されてなることを特徴とするベルトコンベヤー。
【考案の詳細な説明】
【技術分野】
【０００１】
本考案は、物品の搬送を行なうベルトコンベヤーを構成する無端帯状のコンベヤーベルトの案内装置に関する。
【背景技術】
【０００２】
従来、ベルトコンベヤーは、無端帯状のコンベヤーベルトを、搬送経路を形成する架台の両端部に設置された駆動ホイールと従動ホイール間に巻回することにより、前記コンベヤーベルトを、物品が載せられてこの物品を搬送する送り側と、前記物品の搬送を終え前記送り側へ戻される戻り側とに画成した構成となっている。
【０００３】
このようなベルトコンベヤーにあっては、物品の搬送距離が長くなるのに伴って前記コンベヤーベルトも長くなる。
【０００４】
そして、前記コンベヤーベルトが長くなるほど、その送り側における中間部が搬送する物品の重量によって下方へ撓みやすく、この結果、前記物品が前記撓みの低い部分へ移動する現象が生じ、あるいは、前記コンベヤーベルトが伸びる現象が生じる。
【０００５】
このような現象が生じると、物品の搬送量にばらつきが生じて、均一な搬送が阻害されるおそれがある。
【０００６】
また、前記コンベヤーベルトが、前記駆動ホイールと前記従動ホイールとの間において、搬送方向の左右にぶれやすくなり、これによって物品の安定した搬送が阻害されることも想定される。
【０００７】
そこで、従来では、たとえば、特許文献１に示されるように、前記架台に、前記コンベヤーベルトを支持案内する案内装置を、前記架台の長さ方向に間隔をおいた複数箇所に設置し、これらの案内装置によって前記コンベヤーベルトの送り側の下部を支持するとともに左右の振れを防止して、前述した不具合の発生を抑制することが提案されている。
【先行技術文献】
【特許文献】
【０００８】
【特許文献１】実開平５−７７１１２号公報
【考案の概要】
【考案が解決しようとする課題】
【０００９】
しかしながら、前述した従来の技術においても、なお、次のような改善すべき問題点が残されている。
【００１０】
すなわち、前記従来のベルトコンベヤーにおける案内装置は、前記コンベヤーベルトの送り側を案内する送り側ローラーと、前記コンベヤーベルトの戻り側を案内する戻り側ローラーとによって構成され、前記送り側ローラーが前記架台の上方に立設されたステーによって支持され、また、前記戻り側ローラーが前記架台の下方に垂設されたステーによって支持された構成となっている。
【００１１】
このように、前記送り側ローラーと前記戻り側ローラーが、それぞれ前記架台の上下に振り分けられて個別に設置されていると、たとえば、前記案内装置のメンテナンス作業や交換作業を行なう際に、前記架台の上下の両方において作業を行なわなければならず、その作業が繁雑であるといった不具合がある。
【００１２】
また、前記物品の搬送経路が床や地面の下方に形成されることもあり、この場合、前記架台の下方のスペースが狭くなりやすく、これによって、前記架台の下部に設置されている前記戻り側ローラーに対する作業が面倒なものとなる。
【００１３】
本考案は、前述した従来の技術において残されている問題点に鑑みてなされたもので、狭隘部に設置された場合においても、コンベヤーベルトの案内機能を確保しつつ、メンテナンス作業や交換作業等を容易に行なえるコンベヤーベルトの案内装置を提供することを解決すべき課題とする。
【課題を解決するための手段】
【００１４】
本考案のコンベヤーベルトの案内装置は、前述した従来の問題点を解決するために、搬送経路に沿って配設される架台に走行可能に装着された無担帯状のコンベヤーベルトを、その送り側および戻り側においてそれぞれ案内するようにしたコンベヤーベルトの案内装置であって、前記架台の前記コンベヤーベルトの両側に位置する部位に着脱可能に装着される一対のステーと、これらのステー間に回動自在に装着されて、前記コンベヤーベルトの送り側を案内する送り側ローラーと、前記コンベヤーベルトの戻り側を案内する戻り側ローラーを備え、前記送り側ローラーおよび前記戻り側ローラーが、前記一対のステー間に、前記コンベヤーベルトの搬送面と略直交する方向に間隔おいて装着されていることを特徴とする。
【００１５】
このように構成された本考案のコンベヤーベルトの案内装置は、一対のステーよって送り側ローラーと戻り側ローラーを支持する。
【００１６】
そして、この案内装置を、前記一対のステーのそれぞれを、搬送経路を構成する架台に取り付けることにより、前記送り側ローラーおよび前記戻り側ローラーを前記架台の上下の一方に装着することができる。
【００１７】
したがって、前記送り側ローラーと前記戻り側ローラーの着脱操作を、前記架台の上方若しくは下方のいずれか一方での作業で済ますことができ、前記架台の設置状況に応じて、その設置場所で広いスペースが確保できる側に前記案内装置を装着することにより、前記送り側ローラーと前記戻り側ローラーの着脱作業を簡便なものとすることができる。
【００１８】
すなわち、前記架台を床に形成された設置スペースに設置する際には、この設置スペースの上方を開放し、この上方開放部から前記架台を挿入し設置するのが一般的である。
【００１９】
したがって、この場合には、前記ステーを前記架台の上部に取り付けることにより、前記架台の設置場所における上方開口部を利用して前記案内装置、すなわち、前記送り側ローラーと前記戻り側ローラーの着脱操作を行なうことができ、その着脱操作を簡便なものとすることができる。
【００２０】
一方、前記架台を天井等の高所に形成された設置スペースに設置する際には、この設置スペースの下方を開放し、この下方開放部から前記架台を挿入し設置するのが一般的である。
【００２１】
したがって、この場合には、前記ステーを前記架台の下部に取り付けることにより、前記架台の設置場所における下方開口部を利用して、前記案内装置、すなわち、前記送り側ローラーと前記戻り側ローラーの着脱操作を行なうことができ、その着脱操作を簡便なものとすることができる。
【００２２】
前記送り側ローラーと前記戻り側ローラーの少なくとも一方を、前記コンベヤーベルトの中央部を平面状に案内する第１ローラーと、この第１ローラーを挟み込むように配置され、前記コンベヤーベルトの両側部を、前記中央部に対して傾斜させた状態で案内する一対の第２ローラーとによって構成することができる。
【００２３】
このような構成とすることにより、前記第１ローラーによって前記コンベヤーベルトの重量を支持するとともに、このコンベヤーベルトの搬送方向の両側部を案内することができる。
これによって、前記コンベヤーベルトの搬送方向左右の蛇行を防止し、安定した搬送を確保することができる。
【００２４】
一方、前記戻り側ローラーは、前記コンベヤーベルトの下面に接触して案内するようにしても良く、また、前記コンベヤーベルトの上面に接触して案内するようにしても良い。
【００２５】
前記請求項１ないし請求項６の何れかに記載のコンベヤーベルトの案内装置を、前記架台の長さ方向に沿って間隔をおいて複数装着することにより、前記送り側ローラーと前記戻り側ローラーの着脱操作が簡便なベルトコンベヤーを構成することができる。
【考案の効果】
【００２６】
本考案のコンベヤーベルトの案内装置によれば、前記コンベヤーベルトを案内する前記送り側ローラーと前記戻り側ローラーの着脱操作を簡便に行なうことができる。
【図面の簡単な説明】
【００２７】
【図１】本考案の一実施形態が適用されたベルトコンベヤーの正面図である。
【図２】本考案の一実施形態を示すもので、図１の要部拡大図である。
【図３】本考案の一実施形態を示すもので、図２のIII矢視図である。
【図４】本考案の一実施形態を示すもので、図３のIV−IV線断面図である。
【図５】本考案の一実施形態を示すもので、組み立て手順を示す正面図である。
【考案を実施するための形態】
【００２８】
以下、本考案の一実施形態を図１ないし図５を参照して説明する。
図１において符号１は、本実施形態のコンベヤーベルト２の案内装置３を備えたベルトコンベヤーを示す。
【００２９】
このベルトコンベヤー１は、床Ｆに形成された搬送溝４内に設置されている。
この搬送溝４は物品の搬送経路に沿って形成され、その全長に亘って上方開口４ａを有し、かつ、この上方開口４ａが多数の蓋体５によって閉塞されている。
【００３０】
そして、前記ベルトコンベヤー１は、前記搬送溝４に沿って配置され、前記搬送溝４の底部に固定された架台６と、この架台６の一端の上部に回転自在に取り付けられた駆動ホイール７と、他端の上部に回転自在に取り付けられた従動ホイール８と、前記駆動ホイール７にチェーン等の動力伝達帯９を介して接続された電動モーター等の駆動機器１０と、前記駆動ホイール７と前記従動ホイール８間に、これらを取り囲むように巻回され、かつ、所定の張力が与えられた状態で前記架台６の上部において支持されている前記コンベヤーベルト２とによって構成されている。
【００３１】
前記架台６は、本実施形態においては、一対の平行なＨ鋼からなる架台構成体６ａによって構成されており、前記搬送溝４の底部に、同じくＨ鋼からなり、前記架台６の幅方向に交差するように設置されたベース１１を介して固定されている。
【００３２】
このように支持された前記コンベヤーベルト２は、その上方に位置されている部位が送り側２ａとなされ、また、下方に位置されている部位が戻り側２ｂとなされている。
【００３３】
そして、前記駆動機器１０によって前記駆動ホイール７が回転させられることにより、前記コンベヤーベルト２は、その送り側２ａが搬送経路の上流側から下流側へ向けて走行させられるとともに、戻り側２ｂが搬送経路の下流側から上流側へ向けて走行させられるようになっている。
【００３４】
本実施形態の前記案内装置３は、図１に示すように、前記架台６の上部に、この架台６の長さ方向、すなわち、搬送方向に沿って所定間隔をおいて多数設置され、前記架台６の上方に支持されている前記コンベヤーベルト２の送り側２ａと戻り側２ｂを案内するようになっている。
【００３５】
前記案内装置３について詳述すれば、この案内装置３は、図２ないし図４に示すように、前記架台６の上部に、前記コンベヤーベルト２を挟んで両側に位置する部位に着脱可能に立設される一対のステー１２と、これらのステー１２間に回動自在に装着されて、前記コンベヤーベルトの送り側２ａを案内する送り側ローラー１３と、前記コンベヤーベルト２の戻り側２ｂを案内する戻り側ローラー１４を備え、前記送り側ローラーおよび前記戻り側ローラー１４が、前記一対のステー１２間に、前記コンベヤーベルト２の搬送面と略直交する方向（本実施形態においては上下）に間隔おいて装着された構成となっている。
【００３６】
前記ステー１２は、前記架台６の上部にその架台構成体６ａを幅方向に跨ぐように設置され、かつ、前記各架台構成体６ａにボルトナット等の締結部材１６によって着脱可能に取り付けられる支持バー１５に固定されている。
【００３７】
また、本実施形態においては、前記ステー１２が、前記支持バー１５の両端上部に取り付けられた一対の上部ステー１２ａと、前記支持バー１５の両端下部に取り付けられた下部ステー１２ｂと、前記支持バー１５の上部で、前記両上部ステー１２ａ間に取り付けられた一対のサブステー１２ｃとによって構成されている。
【００３８】
前記送り側ローラー１３は、前記一方の上部ステー１２ａと前記一方のサブステー１２ｃとの間、および、前記他方の上部ステー１２ａと前記他方のサブステー１２ｃとの間に回動自在に支持されたサイドローラー１３ａと、前記サブステー１２ｃ間に回動自在に支持されたセンターローラー１３ｂとによって構成されている。
【００３９】
前記上部ステー１２ａは、前記サブステー１２ｃよりも長く形成されており、これらの上部ステー１２ａとサブステー１２ｃとの間に支持される前記各サイドローラー１３ａは、前記支持バー１５の端部側が前記支持バー１５から離間させられ、かつ、前記支持バー１５の中央側が前記支持バー１５に近くなるように傾斜した状態で支持されている。
【００４０】
また、前記両サブステー１２ｃ間に支持される前記センターローラー１３ｂは、前記各サイドローラー１３ａの低い位置で、前記支持バー１５と略平行となるように支持されている。
【００４１】
前記各下部ステー１２ｂに支持される前記戻り側ローラー１４は、それぞれの前記支持バー１５の中央側に位置する端部が前記支持バー１５に近く、かつ、前記支持バー１５の端部側に位置する端部が前記支持バー１５から離間するように傾斜した状態で支持されている。
【００４２】
そして、前記送り側ローラー１３および前記戻り側ローラー１４は、その回転軸線が、前記支持バー１５と前記ステー１２を含む面内に位置するように配置されている。
【００４３】
このように構成された本実施形態のコンベヤーベルト２の案内装置３は、床に形成された前記搬送溝４を覆って配置されている前記蓋体５を取り外し、前記搬送溝４内に設置されている前記架台６に、図５に示すように、前記搬送溝４の上方開口４ａによって形成された広い空間を利用して装着される。
【００４４】
すなわち、前記案内装置３を、前記上部開口４ａを経て前記搬送溝４内に挿入し、前記案内装置３の前記支持バー１５の各端部を、前記搬送溝４の底部に設置されている平行な一対の前記架台構成体６ａのそれぞれの上部に載置する。
【００４５】
ついで、前記支持バー１５の各端部を、前記締結部材１６によって前記各架台構成体６ａに固定することにより、本実施形態の案内装置３を前記搬送溝４内に設置することができる。
【００４６】
このような操作を、前記架台６の長さ方向に間隔をおいた複数箇所において実施することにより、複数の前記案内装置３を前記架台６の上部に取り付ける。
【００４７】
そして、前記複数の案内装置３の前記送り側ローラー１３に前記コンベヤーベルト２の送り側を載せ、このコンベヤーベルト２を前記従動ホイール８に巻回して前記案内装置３の下方を経て前記駆動ホイール７へ導いた後に、前記コンベヤーベルト２の両端部を連結することによって、前記コンベヤーベルト２を装着する。
【００４８】
このように装着されたコンベヤーベルト２は、前記駆動ホイール７と前記従動ホイール８間に所定の張力が与えられた状態で装着されるとともに、前記駆動ホイール７と前記従動ホイール８間において、その送り側の下面が前記複数の送り側ローラー１３によって支持され、かつ、戻り側が、その上面に接触させられる前記複数の戻り側ローラー１４によって案内される。
【００４９】
そして、前記コンベヤーベルト２が前記駆動ホイール７によって走行させられる際に、このコンベヤーベルト２が前記送り側ローラー１３と前記戻り側ローラー１４とによって案内される。
【００５０】
また、本実施形態においては、前記案内装置３の前記送り側ローラー１３を構成する前記両サイドローラー１３ａが、前記コンベヤーベルト２の送り側２ａの両側部を持ち上げるように変形させて案内し、前記コンベヤーベルト２の戻り側２ｂの両端部を、前記両戻り側ローラー１４によって押し下げるように変形させて案内する。
【００５１】
したがって、前記コンベヤーベルト２が、その幅方向の振れが抑制された状態で案内される。
【００５２】
このように、本実施形態に係わる前記案内装置３は、前記搬送溝４内に設置されている前記架台６への着脱操作を、前記搬送溝４の上部開口４ａを経て連続された大きな空間において行なうことができる。
【００５３】
また、着脱操作に際し、前記案内装置３を構成する前記支持バー１５を、前記架台６を構成する前記架台構成体６ａの上部に着脱する作業に集約することができる。
【００５４】
したがって、前述した着脱操作を前記架台６の上部で、広い空間での作業とすることができ、その作業を簡便なものとすることができる。
【００５５】
そして、前記案内装置３を用いてベルトコンベヤーを構成することにより、メンテナンス作業やベルト交換作業等の諸作業を容易に行なうことができる。
【００５６】
なお、前記実施形態において示した各構成部材の諸形状や寸法等は一例であって、設計要求等に基づき種々変更可能である。
【００５７】
たとえば、前記送り側ローラー１３や前記戻り側ローラー１４を水平な１個のローラーによって構成することもできる。
【符号の説明】
【００５８】
１  ベルトコンベヤー
２  コンベヤーベルト
２ａ  送り側
２ｂ  戻り側
３  案内装置
４  搬送溝
４ａ  上方開口
５  蓋体
６  架台
６ａ  架台構成体
７  駆動ホイール
８  従動ホイール
９  動力伝達帯
１０  駆動機器
１１  ベース
１２  ステー
１２ａ  上部ステー
１２ｂ  下部ステー
１２ｃ  サブステー
１３  送り側ローラー
１３ａ  サイドローラー
１３ｂ  センターローラー
１４  戻り側ローラー
１５  支持バー
１６  締結部材
【図１】
0003217893.tif 000003
【図２】
0003217893.tif 000004
【図３】
0003217893.tif 000005
【図４】
0003217893.tif 000006
【図５】
0003217893.tif 000007